(57)【要約】【課題】風を受けた場合でも構造物を所定の位置に固定することができる新たな構造を備えた構造物を提供すること。【解決手段】構造物は、陸屋根の上面又は土地の上面である配置面の上に配置される。構造物は、架台と、エネルギー変換装置とを備えている。架台は、エネルギー変換装置を、所定の支持面に沿って延びるように支持している。支持面は、配置面と１１°以上かつ１３°以内の傾斜角をなして上方に傾斜しつつ、前後方向に沿って後方に向かって延びている。【選択図】図１
2014163125.tif 000002
【特許請求の範囲】
【請求項１】
陸屋根の上面又は土地の上面である配置面の上に配置される構造物であって、架台と、エネルギー変換装置とを備えており、
前記架台は、前記エネルギー変換装置を、所定の支持面に沿って延びるように支持しており、前記支持面は、前記配置面と１１°以上かつ１３°以内の傾斜角をなして上方に傾斜しつつ、前後方向に沿って後方に向かって延びている
構造物。
【請求項２】
請求項１記載の構造物であって、
前記エネルギー変換装置は、平面形状に形成された下面を有しており、前記エネルギー変換装置の前記下面と前記配置面との間には、前記下面に沿って前記前後方向に延びる風道が形成されており、前記風道は、前方及び後方に開口している
構造物。
【請求項３】
請求項２記載の構造物であって、
前記吹き抜けの前面の前記配置面からの高さは、前記エネルギー変換装置の前記傾斜角に沿った長さの２／１５以上である
構造物。
【請求項４】
請求項１乃至請求項３のいずれかに記載の構造物であって、
前記配置面は、パラペットが形成された陸屋根の上面であり、
前記構造物は、ワイヤーを備えており、
前記ワイヤーの一方の端部は前記架台の後部に固定されており、
前記ワイヤーの他方の端部には、固定具が取り付けられており、前記固定具は、前記パラペットを挟むようにして前記パラペットに固定されており、
前記構造物は、前記ワイヤーのみによって前記陸屋根に固着されている
構造物。
【請求項５】
請求項１乃至請求項３のいずれかに記載の構造物を２以上備える構造物集合体であって、
前記構造物は、列をなすようにして前記前後方向に連結されている
構造物集合体。
【請求項６】
請求項５記載の構造物集合体であって、
前記配置面は、パラペットが形成された陸屋根の上面であり、
前記構造物のうち最後部に位置する最後部構造物は、第１ワイヤーを備えており、
前記第１ワイヤーの一方の端部は前記最後部構造物の前記架台の後部に固定されており、
前記第１ワイヤーの他方の端部には、固定具が取り付けられており、前記固定具は、前記パラペットを挟むようにして前記パラペットに固定されており、
前記構造物集合体は、前記第１ワイヤーのみによって前記陸屋根に固着されている
構造物集合体。
【請求項７】
請求項１乃至請求項６のいずれかに記載の構造物の架台。
【発明の詳細な説明】
【技術分野】
【０００１】
本発明は、架台とエネルギー変換装置（例えば、太陽光発電パネルや太陽電池モジュール）とを備える構造物であって、陸屋根や地面に配置される構造物に関する。
【背景技術】
【０００２】
このタイプの構造物は、一般的に広い平板状のエネルギー変換装置を備えている。このような構造物は、風によって煽られて飛ばされるおそれがある。このため、構造物は、構造物を所定の位置に固定するための構造を有する必要がある。例えば特許文献１及び特許文献２には、風によって下向きの力を生じさせることで構造物を固定する技術が開示されている。
【０００３】
特許文献１に開示された太陽電池パネル（エネルギー変換装置）は、パネル支持架台（架台）に支持されている。パネル支持架台は、基礎台部に固定されている。太陽電池パネルは、下方に湾曲した下面（湾曲部）を有している。特許文献１によれば、このように形成された太陽電池パネルが所定方向の風を受けると、太陽電池パネルを下方に押す力が生じる。このため、パネル支持架台を必要以上に強固に基礎台部に固定する必要がない。
【０００４】
特許文献２に開示された太陽電池装置（構造物）は、架台と、太陽電池パネル（エネルギー変換装置）と、凸部曲面部（湾曲部）とを備えている。架台は、例えば地面に配置することができる。太陽電池パネルは、地面と平行に、又は地面に対して所定の傾斜角度を有するように架台に支持される。凸部曲面部は、太陽電池パネルから下方に向かって突出している。特許文献１によれば、太陽電池装置は、このように構成された凸部曲面部を備えているため、太陽電池パネルの上方を流れる風と下方を流れる風により太陽電池パネルを地面に押し付ける力が生じる。
【先行技術文献】
【特許文献】
【０００５】
【特許文献１】実開昭６０−１２１６５４号公報
【特許文献２】特開２００５−２１７１７９号公報
【発明の概要】
【発明が解決しようとする課題】
【０００６】
特許文献１及び特許文献２によれば、構造物が受けた風によってエネルギー変換装置を下方に押す力を生じさせるためには、エネルギー変換装置の下面に、下方に向かって突出する湾曲部を設ける必要がある。このため、概ね平板形状に形成された一般的な太陽光発電パネルをそのまま使用することができない。更に、特許文献１によれば、上述のように湾曲部を設けた場合であっても、架台を陸屋根や地面に固定する必要がある。
【０００７】
本発明は、風を受けた場合でも構造物を所定の位置に固定することができる新たな構造を備えた構造物を提供することを目的とする。
【課題を解決するための手段】
【０００８】
本発明は、第１の構造物として、
陸屋根の上面又は土地の上面である配置面の上に配置される構造物であって、架台と、エネルギー変換装置とを備えており、
前記架台は、前記エネルギー変換装置を、所定の支持面に沿って延びるように支持しており、前記支持面は、前記配置面と１１°以上かつ１３°以内の傾斜角をなして上方に傾斜しつつ、前後方向に沿って後方に向かって延びている
構造物を提供する。
【０００９】
また、本発明は、第２の構造物として、第１の構造物であって、
前記エネルギー変換装置は、平面形状に形成された下面を有しており、前記エネルギー変換装置の前記下面と前記配置面との間には、前記下面に沿って前記前後方向に延びる風道が形成されており、前記風道は、前方及び後方に開口している
構造物を提供する。
【００１０】
また、本発明は、第３の構造物として、第２の構造物であって、
前記吹き抜けの前面の前記配置面からの高さは、前記エネルギー変換装置の前記傾斜角に沿った長さの２／１５以上である
構造物を提供する。
【００１１】
また、本発明は、第４の構造物として、第１乃至第３の構造物のいずれかであって、
請求項１乃至請求項３のいずれかに記載の構造物であって、
前記配置面は、パラペットが形成された陸屋根の上面であり、
前記構造物は、ワイヤーを備えており、
前記ワイヤーの一方の端部は前記架台の後部に固定されており、
前記ワイヤーの他方の端部には、固定具が取り付けられており、前記固定具は、前記パラペットを挟むようにして前記パラペットに固定されており、
前記構造物は、前記ワイヤーのみによって前記陸屋根に固着されている
構造物を提供する。
【００１２】
また、本発明は、第５の構造物として、
陸屋根の上面である配置面の上に配置される構造物であって、架台と、エネルギー変換装置と、ワイヤーとを備えており、
前記架台は、前記エネルギー変換装置を、所定の支持面に沿って延びるように支持しており、
前記エネルギー変換装置は、平面形状に形成された下面を有しており、前記エネルギー変換装置の前記下面と前記配置面との間には、前記下面に沿って前後方向に延びる風道が形成されており、前記風道は、前方及び後方に開口しており、
前記架台は、土台部を有しており、前記土台部は、前記配置面と接触しており、前記土台部の前端は、前記風道の前記前面よりも前方に突出しており、
前記ワイヤーの一方の端部は前記架台の後部に固定されており、
前記ワイヤーの他方の端部には、固定具が取り付けられており、前記固定具は、前記陸屋根に固定されており、
前記構造物は、前記ワイヤーのみによって前記陸屋根に固着されている
構造物を提供する。
【００１３】
また、本発明は、第１の構造物集合体として、第１乃至第３の構造物のいずれかを２以上備える構造物集合体であって、
前記構造物は、列をなすようにして前記前後方向に連結されている
構造物集合体を提供する。
【００１４】
また、本発明は、第２の構造物集合体として、第１の構造物集合体であって、
前記配置面は、パラペットが形成された陸屋根の上面であり、
前記構造物のうち最後部に位置する最後部構造物は、第１ワイヤーを備えており、
前記第１ワイヤーの一方の端部は前記最後部構造物の前記架台の後部に固定されており、
前記第１ワイヤーの他方の端部には、固定具が取り付けられており、前記固定具は、前記パラペットを挟むようにして前記パラペットに固定されており、
前記構造物集合体は、前記第１ワイヤーのみによって前記陸屋根に固着されている
構造物集合体を提供する。
【００１５】
また、本発明は、第１の架台として、第１乃至第５の構造物のいずれか、又は、第１又は第２の構造物集合体のいずれかの架台を提供する。
【発明の効果】
【００１６】
本発明によれば、エネルギー変換装置の下面に湾曲部を設ける等の特別な構造を備えることなく、風を受けた場合であっても、構造物を所定の位置に固定することができる。
【図面の簡単な説明】
【００１７】
【図１】本発明の実施の形態による太陽光発電システム（構造物）を、構造物が配置された陸屋根の断面と共に示す側面図である。
【図２】図１の構造物を示す上面図である。
【図３】図２の構造物の隣接する４つの太陽電池パネルの端部付近（破線Ａで囲んだ部分）を、部分的に拡大して示す上面図である。
【図４】図１の構造物の架台を示す側面図である。
【図５】図４の架台の土台部を示す上面図である。ここで、架台の第１脚部乃至第３脚部及びＰＣ（Power Conditioner）ボックスの位置を破線で示している。
【図６】図４の架台の第１脚部を示す背面断面図である。ここで、棒状部材が連結されている部位の一部（破線で囲んだ部分）を拡大して示している。
【図７】図４の架台の第２脚部を示す背面断面図である。ここで、棒状部材が連結されている部位の一部（破線で囲んだ部分）を拡大して示している。
【図８】図４の架台の第３脚部を示す背面図である。ここで、棒状部材が連結されている部位の一部（破線で囲んだ部分）を拡大して示している。また、ＰＣボックスの位置を１点鎖線で示している。
【図９】図４の架台の連結金具のうちの１つ（破線Ｂで囲んだ部分）を、部分的に拡大して示す側面図である。ここで、連結金具によって連結された棒状部材の外形を破線で描画している。
【図１０】図４の架台の連結金具のうちの他の１つ（破線Ｃで囲んだ部分）を、部分的に拡大して示す側面図である。ここで、連結金具によって連結された棒状部材及びブレースの外形を破線で描画している。
【図１１】図４の架台の連結金具のうちの更に他の１つ（破線Ｄで囲んだ部分）を、部分的に拡大して示す側面図である。ここで、連結金具によって連結された棒状部材及びブレースの外形を破線で描画している。
【図１２】図１の構造物の固定具付近を、固定具が固定されたパラペットの断面と共に部分的に拡大して示す側面図である。
【図１３】図１３（Ａ）は、図１２の固定具を示す上面図である。図１３（Ｂ）は、図１３（Ａ）の固定具を示す正面図である。図１３（Ｃ）は、図１３（Ａ）の固定具を示す側面図である。図１３（Ｄ）は、図１３（Ａ）の固定具を示す背面図である。
【図１４】図１の構造物を複数備える構造物集合体を、構造物集合体が配置された陸屋根の断面と共に示す側面図である。
【図１５】図１４構造物集合体の連結部材（破線Ｅで囲んだ部分）を、部分的に拡大して示す側面図である。ここで、連結部材のうち隠れた部分、及び連結部材によって連結される２つの構造物の棒状部材を破線で描画している。
【図１６】図１２の固定具の変形例と、固定具が固定された陸屋根の一部の断面とを部分的に拡大して示す側面図である。
【図１７】図１２の固定具の別の変形例と、固定具が固定された陸屋根の一部の断面とを部分的に拡大して示す側面図である。
【図１８】図１２の固定具の更に別の変形例と、固定具が固定された陸屋根の一部の断面とを部分的に拡大して示す側面図である。
【発明を実施するための形態】
【００１８】
図１から理解されるように、本実施の形態による太陽光発電システム（構造物）２０は、太陽光を利用して発電するように構成されている。構造物２０は、一般的に、１〜２ｍ程度の高さを有している。本実施の形態による構造物２０は、陸屋根９００の上面（配置面）９０２の上に配置されている。但し、構造物２０は、太陽光を受光でき且つ配置面９０２が概ね水平な平面である限り、どのような配置面９０２上に配置されていてもよい。例えば、構造物２０は、土地の上面（配置面）の上に配置されていてもよい。
【００１９】
構造物２０は、架台３０と、エネルギー変換装置５０とを備えている。架台３０は、配置面９０２上に固着されることなく配置されている。より具体的には、架台３０は、例えばアンカーによって陸屋根９００に固定されることなく、配置面９０２上に配置されている。換言すれば、本実施の形態による架台３０は、陸屋根９００にコンクリート基礎を打ったり、陸屋根９００の一部を破損したりすることなく、配置面９０２上に配置されている。エネルギー変換装置５０は、架台３０の上に配置されている。
【００２０】
図１乃至図３から理解されるように、本実施の形態によるエネルギー変換装置５０は、概ね矩形の平板形状を有している。換言すれば、エネルギー変換装置５０は、平面形状に形成された上面５２及び下面５４を有している。但し、上面５２及び下面５４の夫々は、多少の凹凸を有していてもよい。エネルギー変換装置５０は、上面５２が受光した太陽光を電力に変換して、例えばＰＣ（Power Conditioner）ボックス８１０（図５参照）に送ることができる。
【００２１】
図２及び図３に示されるように、本実施の形態によるエネルギー変換装置５０は、１０個の太陽光発電パネル５１０から構成されている。但し、エネルギー変換装置５０は、１つの太陽光発電パネル５１０から構成されていてもよいし、任意の複数の太陽光発電パネル５１０から構成されていてもよい。
【００２２】
太陽光発電パネル５１０の夫々は、概ね矩形の平板形状を有している。即ち、エネルギー変換装置５０の上面５２及び下面５４は、太陽光発電パネル５１０の上面及び下面から夫々構成されている。互いに隣接する２つの太陽光発電パネル５１０は、僅かな（例えば、数ｍｍの）隙間をあけるようにして組み合わされている（図３参照）。
【００２３】
図１及び図４に示されるように、架台３０は、台形状の側面を有している。このため、架台３０は、傾斜した上面（支持面）３２を有している。支持面３２は、前方に面するように傾斜している。架台３０は、エネルギー変換装置５０を、支持面３２に沿って延びるように支持している。本実施の形態による支持面３２は、南に面するようにして傾斜しており、これによりエネルギー変換装置５０の上面５２は、太陽光を効果的に受けることができる。換言すれば、本実施の形態による前後方向は、南北方向である。但し、支持面３２は、南に限らず太陽光発電に適した方向を向いていればよい。
【００２４】
図１、図４及び図９乃至図１１から理解されるように、架台３０は、様々な形状（特に、長さ）を有する複数の金属製の棒状部材４００と、様々な形状（特に、長さ）を有する複数の金属製の補強部材（ブレース）４１０と、様々な形状を有する複数の連結金具４２０と、様々な形状（特に、長さ）を有する複数のボルト４３０（図９乃至図１１参照）とから組立てられている。棒状部材４００の夫々には、１以上の孔４０２が形成されており、ブレース４１０の夫々には、１以上の孔４１２が形成されており、連結金具４２０の夫々には、１以上の孔４２２が形成されている（図９乃至図１１参照）。棒状部材４００，ブレース４１０及び連結金具４２０は、孔４０２，４１２及び４２２に挿入されたボルト４３０によって強固に連結されている（図９乃至図１１参照）。
【００２５】
本実施の形態による架台３０は、上述のように多数の金属製の部材から構成されているため、容易には動かない程度の重量を有している。また、エネルギー変換装置５０も所定の重量を有している。従って、構造物２０は、強い風を受けていない状態において、自重のみによって配置面９０２の所定位置に固定可能である。
【００２６】
図１及び図４から理解されるように、架台３０は、土台部３１０と、脚部３２０と、支持部３３０とを有している。土台部３１０は、配置面９０２上に配置されており、配置面９０２と接触している。脚部３２０は、土台部３１０に保持されて上方に延びている。支持部３３０は、脚部３２０の上端部に保持されて、支持面３２を規定している。
【００２７】
図１、図４及び図５から理解されるように、本実施の形態による脚部３２０は、架台３０の前側に位置する第１脚部３２２と、架台３０の中間部に位置する第２脚部３２４と、架台３０の後側に位置する第３脚部３２６とから構成されている。但し、脚部３２０は、これと異なるように構成されていてもよい。例えば、脚部３２０は、第１脚部３２２，第２脚部３２４及び第３脚部３２６に加えて第４脚部を有していてもよい。更に、架台３０が十分な強度を有する限り、例えば土台部３１０が設けられていなくてもよい。この場合、脚部３２０を配置面９０２上に直接配置すればよい。
【００２８】
図５に示されるように、本実施の形態による土台部３１０は、前後方向に延びる４つの棒状部材４００と、前後方向と直交する横方向に延びる９つの棒状部材４００とをボルト４３０（図９参照）によって格子状に連結することで組立てられている。土台部３１０には、第１脚部３２２，第２脚部３２４及び第３脚部３２６を夫々連結するための孔４０２が設けられている。
【００２９】
土台部３１０の後方には、ＰＣボックス８１０を配置することができる。ＰＣボックス８１０は、例えばチャンネルベース（耐震架台）８００上に配置され固定されている。ＰＣボックス８１０は、エネルギー変換装置５０から供給された電力を、外部システム（図示せず）に送電する。
【００３０】
図６に示されるように、本実施の形態による第１脚部３２２は、前後方向及び横方向の双方と直交する上下方向に延びる４つの棒状部材４００と、横方向に延びる１つの棒状部材４００と、斜め上方に延びる２つのブレース４１０とを、連結金具４２０及びボルト４３０（図９参照）によって連結することで組立てられている。上下方向に延びる棒状部材４００の夫々の下端は、連結金具４２０及びボルト４３０によって、土台部３１０の棒状部材４００と連結されている。同様に、上下方向に延びる棒状部材４００の夫々の上端は、連結金具４２０及びボルト４３０によって、支持部３３０の棒状部材４００と連結されている（図９参照）。
【００３１】
図７に示されるように、本実施の形態による第２脚部３２４は、上下方向に延びる４つの棒状部材４００から構成されている。第２脚部３２４の高さ（Ｈ２）（即ち、上下方向におけるサイズ）は、第１脚部３２２の高さ（Ｈ１）（図６参照）よりも高い。棒状部材４００の夫々の下端は、連結金具４２０及びボルト４３０（図９参照）によって、土台部３１０の棒状部材４００と連結されている。同様に、棒状部材４００の夫々の上端は、連結金具４２０及びボルト４３０によって、支持部３３０の棒状部材４００と連結されている（図１１参照）。
【００３２】
図８に示されるように、本実施の形態による第３脚部３２６は、上下方向に延びる４つの棒状部材４００と、横方向に延びる２つの棒状部材４００と、斜め上方に延びる２つのブレース４１０とを、連結金具４２０及びボルト４３０（図９参照）によって連結することで組立てられている。第３脚部３２６の高さ（Ｈ３）は、第２脚部３２４の高さ（Ｈ２）（図７参照）よりも高い。上下方向に延びる棒状部材４００の夫々の下端は、連結金具４２０及びボルト４３０によって、土台部３１０の棒状部材４００と連結されている。同様に、上下方向に延びる棒状部材４００の夫々の上端は、連結金具４２０及びボルト４３０によって、支持部３３０の棒状部材４００と連結されている（図９参照）。第３脚部３２６の前方には、チャンネルベース８００及びＰＣボックス８１０を配置することができる。
【００３３】
図４及び図６乃至図８から理解されるように、本実施の形態による支持部３３０は、上方に傾斜しつつ後方に向かって延びる（即ち、斜め上方に延びる）４つの棒状部材４００と、横方向に延びる１２本の棒状部材４００とをボルト４３０（図９参照）によって連結することで組立てられている。前述したように、斜め上方に延びる棒状部材４００の夫々は、脚部３２０の上下方向に延びる棒状部材４００の上端と連結されている（図９及び図１１参照）。横方向に延びる棒状部材４００は、斜め上方に延びる棒状部材４００の上に位置しており、支持面３２を規定している。また、横方向に延びる棒状部材４００には、エネルギー変換装置５０が留め具（例えば、ボルト４３０）によって強固に固定されている。
【００３４】
図４から理解されるように、第１脚部３２２の下端と第２脚部３２４の上端とは、ブレース４１０によって連結されており、これにより架台３０が補強されている。同様に、第２脚部３２４の上端と第３脚部３２６の下端とは、ブレース４１０によって連結されており、これにより架台３０が補強されている。
【００３５】
図１、図２及び図４から理解されるように、エネルギー変換装置５０の下面５４と配置面９０２との間には、風の通り道である風道６０が形成されている。風道６０は、下面５４に沿って前後方向に延びており、前方及び後方に開口している。風道６０は、前面６２と、後面６４とを有している。前面６２は、エネルギー変換装置５０の下面５４の前端から配置面９０２まで下方に延びる仮想的な垂直面である。後面６４は、エネルギー変換装置５０の下面５４の後端から配置面９０２まで下方に延びる仮想的な垂直面である。
【００３６】
図１及び図４に示されるように、土台部３１０の前端は、風道６０の前面６２よりも前方に突出している。このため、構造物２０は、風によって動かされ難い。換言すれば、風を受けた場合であっても、構造物２０を、配置面９０２上の所定の位置に固定することができる。
【００３７】
風道６０は、下方において配置面９０２によって遮られている。また、エネルギー変換装置５０の下面５４は、風道６０の上方を殆ど隙間なく覆っている。更に、架台３０を構成する棒状部材４００、連結金具４２０等の部材は、風道６０の中に殆ど配置されていない（図６乃至図８参照）。換言すれば、風道６０の前後方向と直交する直交断面の殆どは何も設けられていない空間である。更に、チャンネルベース８００及びＰＣボックス８１０も、風道６０の直交断面の一部（本実施の形態によれば、２０％未満）を塞いでいるに過ぎない。このため、後方に向かう比較的強い風が構造物２０にぶつかると、風の一部は、下面５４の隙間から上方に抜けることなく、風道６０の前面６２及び後面６４を通過して構造物２０の後方に抜ける。風の他の一部は、エネルギー変換装置５０の上面５２の上方を通って構造物２０の後方に抜ける。
【００３８】
図１及び図４に示されるように、支持面３２と配置面９０２とは、傾斜角θをなして交差している。本実施の形態によれば、傾斜角θは、１１°以上かつ１３°以内となるように設定されている。換言すれば、支持面３２は、配置面９０２と１１°以上かつ１３°以内の傾斜角θをなして上方に傾斜しつつ、前後方向に沿って後方に向かって延びている。
【００３９】
一般的に、エネルギー変換装置５０は（従って、構造物２０は）、風道６０を吹き抜ける風と、上面５２の上方を通過する風とによって、上方に向かう力（揚力）を受ける。しかしながら、傾斜角θを調整することで、構造物２０が風の影響を受けにくくすることができる。傾斜角θは、例えば、１１°以上かつ１３°以内に設定すればよい。より具体的には、傾斜角θは、例えば、１２°に設定すればよい。傾斜角θを適切な値に設定することで、風を受けた場合であっても、構造物２０を、配置面９０２上の所定の位置により確実に固定することができる。
【００４０】
本実施の形態によれば、風道６０の前面６２の配置面９０２からの高さ（Ｈｆ）は、エネルギー変換装置５０の傾斜角θに沿った長さ（Ｌ）の２／１５以上である。例えば、高さ（Ｈｆ）は、６００ｍｍであり、長さ（Ｌ）は、例えば４５００ｍｍである。高さ（Ｈｆ）と長さ（Ｌ）との比率（開口比率）が、例えば上述の範囲に設定されていると、構造物２０は、より確実に配置面９０２に固定される。本実施の形態によれば、開口比率が上述の範囲内にある場合、長さ（Ｌ）は特に制限なく大きくすることができる。但し、長さ（Ｌ）は、４５００ｍｍ以下であることが好ましい。
【００４１】
図１に示されるように、本実施の形態による陸屋根９００の側部には、上方に突出したパラペット９１０が形成されている。本実施の形態による構造物２０は、金属製の第１ワイヤー（ワイヤー）７２０を備えている。構造物２０は、ワイヤー７２０によってパラペット９１０に固着されている。詳しくは、ワイヤー７２０の一方の端部（第１端部）は、架台３０の支持部３３０の後部に固定されており、ワイヤー７２０の他方の端部（第２端部）には、金属製の固定具７５０が取り付けられている。固定具７５０は、パラペット９１０に取り付けられている。
【００４２】
図１３に示されるように、本実施の形態による固定具７５０は、支持部７６０と、保持面７７０と、被押圧面７８０とを有している。支持部７６０は、横方向から見たとき、Ｃ字形状を有している。保持面７７０及び被押圧面７８０は、支持部７６０の前後方向における両端部に夫々設けられている。保持面７７０及び被押圧面７８０の夫々は、前後方向と直交する平面形状を有している。支持部７６０には、支持部７６０を横方向に貫通する接続孔７６２が形成されている。保持面７７０には、保持面７７０を前後方向に貫通するネジ孔である保持孔７７２が形成されている。上述のような固定具７５０は、例えば、複数の鉄材を溶接することで形成することができる。
【００４３】
図１２に示されるように、固定具７５０は、金属製の押圧具７９０が取り付けられた状態で、パラペット９１０の上部に取り付けられている。固定具７５０の接続孔７６２には、ワイヤー７２０の第２端部が接続され固定されている。押圧具７９０は、棒形状を有する被保持部７９２と、円盤形状を有する押圧部７９４とを有している。押圧部７９４には、押圧面７９６が形成されている。
【００４４】
押圧具７９０の被保持部７９２は、固定具７５０の保持孔７７２にねじ込まれており、これにより押圧面７９６は、前後方向と直交する面内に位置している。被保持部７９２を深くねじ込むと、平面状の押圧面７９６と平面状の被押圧面７８０とがパラペット９１０の両側面に強く押し付けられる。このため固定具７５０は、パラペット９１０が破損することなく、パラペット９１０に強固に固定される。換言すれば、固定具７５０は、パラペット９１０を挟むようにしてパラペット９１０に固定されている。
【００４５】
図１に示されるように、構造物２０は、上述のように構成されたワイヤー７２０及び固定具７５０によって陸屋根９００に固着されている。このため、例えば構造物２０が、前方に向かって吹く風を受けた場合であっても、構造物２０を配置面９０２の所定の位置に固定することができる。また、前述したように、本実施の形態による構造物２０は、後方に向かって吹く風を受けた場合であっても、構造物２０を配置面９０２の所定の位置に固定することができる。このため、構造物２０をワイヤー７２０のみによって陸屋根９００に固着することで、エネルギー変換装置５０の上面５２又は下面５４に風の流れを制御するための特別な部位（例えば、凸部やフィン）を設けることなく、構造物２０を配置面９０２上に固定することができる。
【００４６】
図１６に示されるように、構造物２０は、上述の方法と異なる方法で陸屋根９００に固着することができる。固定具７５０Ａは、固定具７５０（図１２参照）に類似した形状を有している。但し、固定具７５０Ａの接続孔７６２は、固定具７５０と異なる位置に設けられている。後方に突出した張り出しが陸屋根９００に設けられている場合、固定具７５０Ａは、張り出し（即ち、陸屋根９００の一部）を上下に挟むようにして、陸屋根９００に固定することができる。
【００４７】
図１７及び図１８に示されるように、構造物２０は、上述の方法と更に異なる方法で陸屋根９００に固着することができる。より具体的には、陸屋根９００の側面（図１７参照）や内面（図１８参照）にアンカー（固定具）９２０を打ち込み、これによって、固定具９２０を陸屋根９００に固定することができる。ワイヤー７２０を、陸屋根９００に固定することで、構造物２０を陸屋根９００に固着することができる。
【００４８】
図１４に示されるように、上述のように構成された２つ以上の構造物２０は、連結して構造物集合体１０を構成することができる。本実施の形態による構造物集合体１０は、４つの構造物２０を備えている。構造物２０は、列をなすようにして前後方向に連結されている。詳しくは、本実施の形態による構造物集合体１０は、列の最前部に位置する１つの最前部構造物２２と、列の中間部に位置する２つの中間部構造物２４と、列の最後部に位置する１つの最後部構造物２６とを備えている。
【００４９】
図１４及び図１５に示されるように、前後方向に隣り合う２つの構造物２０は、連結部材７００によって連結されている。本実施の形態による連結部材７００は、１つの棒状部材４００と、２つの連結金具４２０とから構成されている（図１５参照）。連結金具４２０の夫々は、連結部材７００の棒状部材４００の端部と、構造物２０の土台部３１０の棒状部材４００の端部とをボルト４３０によって連結している。
【００５０】
連結部材７００は、隣り合う２つの構造物２０を強固に連結できる限り、これと異なった部材によって構成されていてもよい。更に、連結部材７００は、２つの構造物２０の上部（例えば、支持部３３０）を互いに連結していてもよい。但し、連結部材７００が２つの構造物２０の土台部３１０を互いに連結することで、架台３０を比較的容易に位置決めすることができる。また、土台部３１０の棒状部材４００を長く延ばして連結部材７００に連結することで、架台３０の構造を大きく変更することなく、他の架台３０と連結することができる。
【００５１】
図１４に示されるように、最後部構造物２６は、第１ワイヤー（ワイヤー）７２０を備えている。第１ワイヤー７２０の一方の端部は最後部構造物２６の架台３０の支持部３３０の後部に固定されている。第１ワイヤー７２０の他方の端部には、固定具７５０が取り付けられている。前述したように、固定具７５０は、パラペット９１０を挟むようにしてパラペット９１０に固定されている。
【００５２】
最前部構造物２２は、第２ワイヤー（ワイヤー）７３０を備えている。第２ワイヤー７３０の一方の端部は最前部構造物２２の架台３０の支持部３３０の前部に固定されている。第２ワイヤー７３０の他方の端部には、固定具７５０が取り付けられている。第２ワイヤー７３０の固定具７５０は、第１ワイヤー７２０の固定具７５０と同様に、パラペット９１０を挟むようにしてパラペット９１０に固定されている。
【００５３】
前後方向に隣り合う２つの構造物２０は、第３ワイヤー（ワイヤー）７４０によって連結されている。第３ワイヤー７４０の夫々の一方の端部は、前方の構造物２０の架台３０の支持部３３０の後部に固定されている。第３ワイヤー７４０の夫々の他方の端部は、後方の構造物２０の架台３０の土台部３１０の前部に固定されている。隣り合う２つの構造物２０を、連結部材７００に加えて第３ワイヤー７４０によって連結することで、２つの構造物２０を、より強固に連結することができる。但し、連結部材７００が２つの構造物２０を十分に強固に連結している場合、第３ワイヤー７４０を備えなくてもよい。
【００５４】
本実施の形態による構造物集合体１０は、風を受けた場合でも吹き飛ばされ難いように構成された複数の構造物２０を備えている。このため、第１ワイヤー７２０及び第２ワイヤー７３０のみによって陸屋根９００に固着することができる。更に、構造物集合体１０は、第２ワイヤー７３０を備えていなくてもよい。換言すれば、構造物集合体１０は、第１ワイヤー７２０のみによって陸屋根９００に固着することができる。
【００５５】
本実施の形態による構造物集合体１０及び構造物２０の夫々は、既に記載した変形例に加えて、様々に変形することができる。例えば、構造物２０は、太陽光発電システム２０でなくてもよい。この場合、エネルギー変換装置５０は、太陽光発電パネル５１０以外の部材から構成される。また、架台３０は、本実施の形態とは異なる部材によって形成されていてもよい。また、風道６０の中には、風の好適な流れを妨げない限り、様々な部材が配置されていてもよい。また、構造物２０を土地の上面（配置面）の上に配置する場合、ワイヤー７２０は、土地に設けた構造物に固定すればよい。
【符号の説明】
【００５６】
１０    構造物集合体
２０    太陽光発電システム（構造物）
２２    最前部構造物
２４    中間部構造物
２６    最後部構造物
３０    架台
３２    上面（支持面）
３１０  土台部
３２０  脚部
３２２  第１脚部
３２４  第２脚部
３２６  第３脚部
３３０  支持部
４００  棒状部材
４０２  孔
４１０  補強部材（ブレース）
４１２  孔
４２０  連結金具
４２２  孔
４３０  ボルト
５０    エネルギー変換装置
５２    上面
５４    下面
５１０  太陽光発電パネル
６０    風道
６２    前面
６４    後面
７００  連結部材
７２０  第１ワイヤー（ワイヤー）
７３０  第２ワイヤー（ワイヤー）
７４０  第３ワイヤー（ワイヤー）
７５０，７５０Ａ  固定具
７６０  支持部
７６２  接続孔
７７０  保持面
７７２  保持孔
７８０  被押圧面
７９０  押圧具
７９２  被保持部
７９４  押圧部
７９６  押圧面
８００  チャンネルベース（耐震架台）
８１０  ＰＣボックス
９００  陸屋根
９０２  上面（配置面）
９１０  パラペット
９２０  アンカー（固定具）
【図１】
2014163125.tif 000003
【図２】
2014163125.tif 000004
【図３】
2014163125.tif 000005
【図４】
2014163125.tif 000006
【図５】
2014163125.tif 000007
【図６】
2014163125.tif 000008
【図７】
2014163125.tif 000009
【図８】
2014163125.tif 000010
【図９】
2014163125.tif 000011
【図１０】
2014163125.tif 000012
【図１１】
2014163125.tif 000013
【図１２】
2014163125.tif 000014
【図１３】
2014163125.tif 000015
【図１４】
2014163125.tif 000016
【図１５】
2014163125.tif 000017
【図１６】
2014163125.tif 000018
【図１７】
2014163125.tif 000019
【図１８】
2014163125.tif 000020